(57)【要約】【課題】多言語に簡単に対応でき、ユーザにおける利便性を向上し得る、情報配信システムおよび情報配信方法を提供する。【解決手段】通信端末２１に対して、情報を配信するための、情報配信システム１０を用いる。無線タグ４１は、当該無線タグを識別するための無線タグＩＤと、設定された言語を特定するための言語ＩＤとを保持する。無線タグ読取装置２０１は、無線タグ４１が読取範囲内に位置した場合に、無線タグＩＤおよび言語ＩＤを読み取り、読み取った無線タグＩＤおよび言語ＩＤを、無線タグ読取装置２０１を識別する識別情報と共に、情報配信サーバ４０１に送信する。情報配信サーバ４０１は、送信されてきた、言語ＩＤ、および識別情報に基づいて、配信すべき情報を特定し、特定した情報を、送信されてきた無線タグＩＤに関連付けられた通信端末２１に送信する。【選択図】図１
2013073264.tif 000002
【特許請求の範囲】
【請求項１】
通信端末に対して、情報を配信するための、情報配信システムであって、
無線タグと、無線タグ読取装置と、情報配信サーバとを備え、
前記無線タグは、当該無線タグを識別するための無線タグＩＤと、設定された言語を特定するための言語ＩＤとを保持し、
前記無線タグ読取装置は、前記無線タグが読取範囲内に位置した場合に、前記無線タグＩＤおよび前記言語ＩＤを読み取り、読み取った前記無線タグＩＤおよび前記言語ＩＤを、当該無線タグ読取装置を識別する識別情報と共に、前記情報配信サーバに送信し、
前記情報配信サーバは、送信されてきた、前記言語ＩＤ、および前記識別情報に基づいて、配信すべき情報を特定し、特定した情報を、送信されてきた前記無線タグＩＤに関連付けられた通信端末に送信する、
ことを特徴とする情報配信システム。
【請求項２】
無線タグＩＤ毎に、当該無線タグＩＤに関連付けられた通信端末のＩＰアドレスを保持する、端末情報データベースを、更に備え、
前記情報配信サーバが、送信されてきた前記無線タグＩＤを検索キーとして、前記端末情報データベースを検索し、検索によって特定されたＩＰアドレスに、特定した情報を送信する、
請求項１に記載の情報配信システム。
【請求項３】
前記識別情報毎に、複数の言語で作成された、配信対象となる情報を保持する、配信情報データベースを、更に備え、
前記情報配信サーバが、送信されてきた前記言語ＩＤおよび前記識別情報を検索キーとして、前記配信情報データベースを検索することによって、配信すべき情報を特定する、
請求項１または２に記載の情報配信システム。
【請求項４】
前記配信情報データベースが、ユーザの年齢層および性別に基づいて、配信対象となる情報を分類しており、
前記無線タグが、更に、ユーザの年齢層を特定する年齢層ＩＤと、前記ユーザの性別を特定する性別ＩＤとを保持し、
無線タグ読取装置が、前記無線タグが読取範囲内に位置した場合に、更に、前記年齢層ＩＤおよび前記性別ＩＤを読み取り、読み取った前記年齢層ＩＤおよび前記性別ＩＤを、前記情報配信サーバに送信し、
前記情報配信サーバが、送信されてきた、前記言語ＩＤおよび前記識別情報に、前記年齢層ＩＤおよび前記性別ＩＤを加えた検索キーを用いて、前記配信情報データを検索することによって、配信すべき情報を特定する、
請求項３に記載の情報配信システム。
【請求項５】
前記情報配信サーバが、
選択された２以上の無線タグに対して、グループを設定し、特定のグループに対する、特定の情報の配信が求められた場合に、
前記特定のグループに所属する各無線タグの無線タグＩＤを特定し、特定した前記無線タグＩＤに関連付けられた通信端末に、配信が求められた前記特定の情報を配信する、
請求項１〜４のいずれかに記載の情報配信システム。
【請求項６】
通信端末に対して、情報を配信するための、方法であって、
（ａ）無線タグＩＤと、設定された言語を特定するための言語ＩＤとを保持する、無線タグが、無線タグ読取装置の読取範囲内に位置した場合に、
前記無線タグ読み取り装置によって、前記無線タグＩＤおよび前記言語ＩＤを読み取り、読み取った前記無線タグＩＤおよび前記言語ＩＤを、当該無線タグ読取装置を識別する識別情報と共に、情報配信サーバに送信する、ステップと、
（ｂ）前記情報配信サーバによって、前記（ａ）のステップで送信されてきた、前記言語ＩＤ、および前記識別情報に基づいて、配信すべき情報を特定し、特定した情報を、前記（ａ）のステップで送信されてきた前記無線タグＩＤに予め関連付けられた通信端末に送信する、ステップと、
を有することを特徴とする情報配信方法。
【請求項７】
前記（ｂ）のステップで、無線タグＩＤ毎に、当該無線タグＩＤに関連付けられた通信端末のＩＰアドレスを保持する、端末情報データベースを、前記情報配信サーバによって送信されてきた前記無線タグＩＤを検索キーとして検索し、検索によって特定されたＩＰアドレスに、特定した情報を送信する、
請求項６に記載の情報配信方法。
【請求項８】
前記（ｂ）のステップで、前記識別情報毎に、複数の言語で作成された、配信対象となる情報を保持する、配信情報データベースを、前記情報配信サーバによって送信されてきた前記言語ＩＤおよび前記識別情報を検索キーとして検索することによって、配信すべき情報を特定する、
請求項６または７に記載の情報配信方法。
【請求項９】
前記配信情報データベースが、ユーザの年齢層および性別に基づいて、配信対象となる情報を分類しており、
前記（ａ）のステップで、前記無線タグが読取範囲内に位置した場合に、前記無線タグ読み取り装置によって、更に、ユーザの年齢層を特定する年齢層ＩＤおよびユーザの性別を特定する性別ＩＤを読み取り、読み取った前記年齢層ＩＤおよび前記性別ＩＤを、前記情報配信サーバに送信し、
前記（ｂ）のステップで、前記情報配信サーバによって、前記言語ＩＤおよび前記識別情報に、前記（ａ）のステップで送信されてきた、前記年齢層ＩＤおよび前記性別ＩＤを加えた検索キーを用いて、前記配信情報データを検索することによって、配信すべき情報を特定する、
請求項８に記載の情報配信方法。
【請求項１０】
前記（ｂ）のステップで、前記情報配信サーバによって、選択された２以上の無線タグに対して、グループが設定され、特定のグループに対する、特定の情報の配信が求められた場合に、前記特定のグループに所属する各無線タグの無線タグＩＤを特定し、特定した前記無線タグＩＤに関連付けられた通信端末に、配信が求められた前記特定の情報を配信する、
請求項６〜９のいずれかに記載の情報配信方法。
【発明の詳細な説明】
【技術分野】
【０００１】
本発明は、情報配信システムおよび情報配信方法に関し、特に、多言語に対応した、情報配信システム、および情報配信方法に関する。
【背景技術】
【０００２】
たとえば、国内における博物館または美術館といった展示施設において展示されている、展示物についての説明を記載した説明プレートは、主に日本語で記述されており、中には英語によって記述された説明を併記している場合もある。今後、中国をはじめとした外国から日本に観光目的で来日する外国人の増加も予想されるので、日本語および英語以外で記述された説明を、説明プレートに追記する必要があると考えられる。
【０００３】
しかしながら、説明プレートに記載できる文章量は説明プレートの面積により制限されるので、日本語および英語以外の言語により記述された説明を追記することは、ある程度の困難が伴う。また、文章による説明だけでなく、博物館および美術館に所属する専門職員が口頭により展示物の内容を説明することも考えられるが、複数の外国語を習得することは、専門職員にとって負担となる。
【０００４】
上記の問題を解決するため、特許文献１は、展示物に関する情報を携帯型の端末に送信するためのシステムを提案している。特許文献１に開示されたシステムは、展示物の近傍に配置された無線タグと、無線タグの読取装置を備えた携帯型の端末と、情報配信サーバとで構成される。
【０００５】
特許文献１に開示されたシステムでは、まず、閲覧者が、展示物の近傍における無線タグの読取範囲内まで近づくと、端末に備えられた読取装置によって、無線タグに記録されている位置情報が読み取られる。これにより、端末は、読み取った位置情報により、自己の位置を特定する。
【０００６】
そして、端末は、無線ネットワーク基地局を介して情報配信サーバにより繰り返し配信されるパケットの中から、自己の位置に対応する展示物の説明が記録されたパケットを選択的に受信し、これを表示画面に表示する。
【先行技術文献】
【特許文献】
【０００７】
【特許文献１】特開２００７−１４３０２８号公報
【発明の概要】
【発明が解決しようとする課題】
【０００８】
このように、特許文献１に開示されたシステムでは、展示物の説明は、端末の表示画面に表示されるため、説明プレートを用いる場合と異なり、文章量の制限を受けることはない。よって、多数の言語に容易に対応できると考えられ、専門職員の負担が大きくなることもない。
【０００９】
しかしながら、特許文献１に開示されたシステムでは、端末に、無線タグの情報を読み取るための読取装置を搭載する必要がある。このため、端末装置が大型化したり、電力消費が大きくなったりしてしまう。加えて、端末が供給できる電力には制限があるため、読取範囲は極めて狭くなる。よって、閲覧者は、情報を得るためには、無線タグを見つけて端末を接近させる必要があり、利便性は低くなってしまう。
【００１０】
加えて、特許文献１に開示されたシステムにおいて、一つの端末で多言語に対応するためには、端末に使用言語を選択する機能を実装するか、または、単一言語専用端末を用意する必要がある。前者の場合、閲覧者が、使用言語を選択する機能を実装した端末を使用する際には、端末を操作して使用言語を設定する必要がある。また、後者の場合、言語毎に単一言語専用端末を用意することは、展示施設の管理者にとって負担である。これらの点でも、利便性は低いものになってしまう。
【００１１】
本発明の目的の一例は、上記問題を解消し、多言語に簡単に対応でき、ユーザにおける利便性を向上し得る、情報配信システムおよび情報配信方法を提供することにある。
【課題を解決するための手段】
【００１２】
上記目的を達成するため、本発明の一側面における情報配信システムは、通信端末に対して、情報を配信するための、情報配信システムであって、
無線タグと、無線タグ読取装置と、情報配信サーバとを備え、
前記無線タグは、当該無線タグを識別するための無線タグＩＤと、設定された言語を特定するための言語ＩＤとを保持し、
前記無線タグ読取装置は、前記無線タグが読取範囲内に位置した場合に、前記無線タグＩＤおよび前記言語ＩＤを読み取り、読み取った前記無線タグＩＤおよび前記言語ＩＤを、当該無線タグ読取装置を識別する識別情報と共に、前記情報配信サーバに送信し、
前記情報配信サーバは、送信されてきた、前記言語ＩＤ、および前記識別情報に基づいて、配信すべき情報を特定し、特定した情報を、送信されてきた前記無線タグＩＤに関連付けられた通信端末に送信する、ことを特徴とする。
【００１３】
更に、上記目的を達成するため、本発明の一側面における情報配信方法は、通信端末に対して、情報を配信するための、方法であって、
（ａ）無線タグＩＤと、設定された言語を特定するための言語ＩＤとを保持する、無線タグが、無線タグ読取装置の読取範囲内に位置した場合に、
前記無線タグ読み取り装置によって、前記無線タグＩＤおよび前記言語ＩＤを読み取り、読み取った前記無線タグＩＤおよび前記言語ＩＤを、当該無線タグ読取装置を識別する識別情報と共に、情報配信サーバに送信する、ステップと、
（ｂ）前記情報配信サーバによって、前記（ａ）のステップで送信されてきた、前記言語ＩＤ、および前記識別情報に基づいて、配信すべき情報を特定し、特定した情報を、前記（ａ）のステップで送信されてきた前記無線タグＩＤに予め関連付けられた通信端末に送信する、ステップと、を有することを特徴とする。
【発明の効果】
【００１４】
以上のように本発明における情報配信システムおよび情報配信方法によれば、多言語に簡単に対応でき、ユーザにおける利便性を向上することができる。
【図面の簡単な説明】
【００１５】
【図１】図１は、本発明の実施の形態１における情報配信システムの構成を示すブロック図である。
【図２】図２は、本発明の実施の形態１における無線タグの構成を示すブロック図である。
【図３】図３は、本発明の実施の形態１におけるデータベースの一例を示す図である。
【図４】図４は、本発明の実施の形態１における通信端末の構成を示すブロック図である。
【図５】図５は、本発明の実施の形態１における無線タグ書込装置の構成を示すブロックである。
【図６】図６は、本発明の実施の形態１における無線タグ読取装置の構成を示すブロックである。
【図７】図７は、本発明の実施の形態１における情報配信サーバの構成を示すブロック図である。
【図８】図８は、本発明の実施の形態１における無線タグ書込装置での書込み時の動作を示すフローチャートである。
【図９】図９は、本発明の実施の形態１における情報配信システムでの情報配信時の動作を示すフローチャートである。
【図１０】図１０は、本発明の実施の形態２における情報配信システムの構成を示すブロック図である。
【図１１】図１１は、本発明の実施の形態２におけるデータベースの一例を示す図である。
【図１２】図１２は、本発明の実施の形態２における情報配信システムでの特定のグループへの配信処理時の動作を示すフローチャートである。
【図１３】図１３は、本発明の実施の形態３における情報配信システムの構成を示すブロック図である。
【図１４】図１４は、本発明の実施の形態３における無線タグの構成を示すブロック図である。
【図１５】図１５は、本発明の実施の形態３におけるデータベースの一例を示す図である。
【図１６】図１６は、本発明の実施の形態３における無線タグ書込装置での書込み時の動作を示すフローチャートである。
【図１７】図１７は、本発明の実施の形態３における情報配信システムでの情報配信時の動作を示すフローチャートである。
【発明を実施するための形態】
【００１６】
（実施の形態１）
以下、本発明の実施の形態１における、情報配信システムおよび情報配信方法について、図１から図９を参照しながら説明する。
【００１７】
［システム構成］
最初に、図１を用いて、本実施の形態１における情報配信システム１０の構成について説明する。図１は、本発明の実施の形態１における情報配信システムの構成を示すブロック図である。
【００１８】
図１に示すように、本実施の形態１における情報配信システム１０は、無線タグ４１と、無線タグ読取装置２０１と、情報配信サーバ４０１と、を備えている。無線タグ４１は、当該無線タグを識別するための無線タグＩＤと、設定された言語を特定するための言語ＩＤと、を保持している。
【００１９】
無線タグ読取装置２０１は、無線タグ４１が読取範囲内に位置した場合に、無線通信により無線タグ４１が保持する無線タグＩＤおよび言語ＩＤを読み取る。そして、無線タグ読取装置２０１は、読み取った無線タグＩＤおよび言語ＩＤを、無線タグ読取装置２０１を識別する識別情報と共に、情報配信サーバ４０１に送信する。本実施の形態１では、識別情報としては、無線タグ読取装置２０１のＩＰ（Internet Protocol）アドレスである、読取装置ＩＰアドレスが用いられる。
【００２０】
情報配信サーバ４０１は、送信されてきた、言語ＩＤおよび識別情報に基づいて、配信すべき情報を特定する。そして、情報配信サーバ４０１は、特定した情報を、送信されてきた無線タグＩＤ４１に関連付けられた通信端末２１に送信する。
【００２１】
このように、本実施の形態１では、無線タグ読取装置２０１によって、無線タグ４１が無線タグ読取装置２０１の読取範囲内に位置した場合に、無線通信により無線タグ４１が保持する無線タグＩＤおよび言語ＩＤを読み取る。これにより、通信端末において読取装置を搭載する必要がないので、通信端末の小型化、および、低消費電力化を行うことができる。また、無線タグ読取装置２０１の読取範囲内に、無線タグ４１が位置することで無線通信が行われるので、通信端末の使用者は、無線タグを見つけて通信端末を近づける必要がない。結果、ユーザにおける利便性が向上することになる。
【００２２】
また、通信端末２１は、言語ＩＤにより設定される言語で記述された情報を受信することができる。このため、閲覧者は、端末を操作して使用言語を設定する必要がない。また、管理者は、言語毎に単一言語専用通信端末を用意する必要がない。本実施の形態１によれば、通信端末２１を用意するだけで、多言語化に対応できる。
【００２３】
ここで、本実施の形態１における情報配信システム１０の構成について、図２から図７を用いて、さらに具体的に説明する。本実施の形態１における情報配信システム１０は、さらに、言語データベース４５１と、配信情報データベース４５２と、端末情報データベース４５３と、通信端末２１と、無線タグ書込装置６１と、無線ＬＡＮ（Local Area Network）アクセスポイント５０１と、を備える。
【００２４】
まず、図２は、本発明の実施の形態１における無線タグの構成を示すブロック図である。本実施の形態１における無線タグ４１は、無線タグＩＤを格納する無線タグＩＤ格納部４２と、言語ＩＤを格納する言語ＩＤ格納部４３と、未使用領域４４とを備える。無線タグＩＤ格納部４２、言語ＩＤ格納部４３および未使用領域４４は、無線タグに備えられた記憶領域に構築されている。無線タグＩＤは、無線タグ４１をユニークに識別するための情報であるので、重複して割り当てられることはない。未使用領域４４は、無線タグ４１における記憶領域の未使用部分であり、無線タグ４１の記憶容量によりサイズが変化する。
【００２５】
本実施の形態１における無線タグ４１は、たとえばＩＣタグであり、外部から供給される電波を、図示しないアンテナにおいて受信し、受信した電波を電力に変換する。無線タグ４１は、当該電力を利用することにより、無線通信により受信したデータの書き込み、および読み出したデータの無線通信による送信を行う。具体的には、無線タグ４１は、無線タグ書込装置６１から言語ＩＤ書込命令と言語ＩＤとを受信すると、受信した言語ＩＤを言語ＩＤ格納部４３へ書込む。また、無線タグ４１は、無線タグ読取装置２０１からＩＤ送信命令を受信すると、無線タグＩＤ格納部４２および言語ＩＤ格納部４３からそれぞれ読み出した、無線タグＩＤおよび言語ＩＤを、無線タグ読取装置２０１へ送信する。
【００２６】
また、無線タグ４１は、後述するように、無線タグ読取装置２０１と無線通信することによって、当該無線タグ４１が無線タグ読取装置２０１の読取範囲内に位置することが特定される、そして、特定された位置に応じた情報が情報配信サーバ４０１から通信端末２１へ送信されるので、無線タグ４１は、通信端末２１の近傍に配置されることが望ましい。本実施の形態１では、無線タグ４１は、通信端末２１に付随する。この際、無線タグ４１は、通信端末２１と電気信号の授受を行わないので、動作不良になった際には、交換が容易である。また、本実施の形態１における無線タグ４１は、たとえば重量が数グラム程度のカード型であるので、通信端末２１に付随させても、使用者の負担となるほど通信端末２１は大型化しない。
【００２７】
図３は、本発明の実施の形態１におけるデータベースの一例を示す図である。図３（ａ）は、言語データベース４５１を示し、図３（ｂ）は、配信情報データベース４５２を示し、図３（ｃ）は、端末情報データベース４５３を示す。
【００２８】
図３（ａ）に示すように、本実施の形態１における言語データベース４５１は、言語ＩＤと通信端末２１の使用者が設定する言語とを関連付けて格納している。また、後述するように、言語データベース４５１は、無線タグ書込装置６１に備えられている。
【００２９】
また、図３（ｂ）に示すように、本実施の形態１では、配信情報データベース４５２は、展示物に関する情報を、無線タグ読取装置２０１を識別する識別情報（読取装置ＩＰアドレス）、および言語ＩＤに関連付けて格納している。具体的には、展示物に関する情報としては、展示物についての説明が挙げられる。また、展示物に関する情報は、言語ＩＤで設定された言語毎に用意される。
【００３０】
また、図３（ｃ）に示すように、本実施の形態１における端末情報データベース４５３は、通信端末２１を特定するための端末ＩＰアドレスと無線タグＩＤとを関連付けて格納している。後述するように、言語データベース４５１は、無線タグ書込装置６１による書込み処理に用いられ、また、配信情報データベース４５２および端末情報データベース４５３は、情報配信サーバ４０１による検索に用いられる。
【００３１】
図４は、本発明の実施の形態１における通信端末の構成を示すブロック図である。本実施の形態１における通信端末２１は、ＣＰＵ（Central Processing Unit）２２と、メモリ２３と、制御部２５と、表示部２６と、音声出力部２７と、入力部２８と、無線通信インターフェイス２９と、を備える。
【００３２】
ＣＰＵ２２は、図示しない、たとえばフラッシュメモリなどの不揮発性の半導体記憶装置などに予め格納された、実行プログラム２４（コード）をメモリ２３に展開し、これらを所定の順序で実行することにより、各種の演算を実行する。
【００３３】
メモリ２３は、典型的には、ＤＲＡＭ（Dynamic Random Access Memory）などの揮発性の記憶装置である。メモリ２３は、本実施の形態１における情報配信サーバ４０１により配信される、文字、画像、動画、および音声などのデータを、一旦格納する。メモリ２３に格納されたデータは、実行プログラム２４により行われる処理に応じて、たとえば表示部２６または音声出力部２７へ送信される。
【００３４】
制御部２５は、表示部２６、音声出力部２７、入力部２８および無線通信インターフェイス２９と、ＣＰＵ２２およびメモリ２３と、の間におけるデータ、命令および応答の転送制御を行う。
【００３５】
表示部２６は、本実施の形態１における情報配信サーバ４０１により配信される、文字、画像および動画情報を表示する。具体的には、表示部２６は、グラフィックコントローラと表示装置とで構成される。グラフィックコントローラは、メモリ２３において格納された文字、画像および動画のデータを、制御部２５経由で受信すると、映像信号を生成し、生成した映像信号を表示装置へ送信する。表示装置は、本実施の形態１では、たとえば液晶ディスプレイまたは有機ＥＬディスプレイなどの薄型ディスプレイであり、受信した映像信号をディスプレイ上で表示する。
【００３６】
音声出力部２７は、本実施の形態１における情報配信サーバ４０１により配信される音声情報を再生する。具体的には、音声出力部２７は、メモリ２３において格納された音声のデータを、制御部２５経由で受信すると、音声信号を生成し、生成した音声信号をスピーカまたはイヤホンにおいて再生する。
【００３７】
本実施の形態１における入力部２８は、具体的にはキーボード、ポインティングデバイス、タッチパネル、などの入力機器であり、通信端末２１の使用者による操作を受け付ける。無線通信インターフェイス２９は、無線ＬＡＮアクセスポイント５０１との間で、無線通信によりＩＰ（Internet Protocol）パケットの送受信を行う。
【００３８】
図５は、本発明の実施の形態１における無線タグ書込装置の構成を示すブロックである。本実施の形態１における無線タグ書込装置６１は、ＣＰＵ６２と、メモリ６３と、制御部６５と、入力部６６と、無線タグ書込部６７と、言語データベース４５１とを備える。
【００３９】
ＣＰＵ６２は、図示しない、たとえばフラッシュメモリなどの不揮発性の半導体記憶装置などに予め格納された、実行プログラム６４をメモリ６３に展開し、これらを所定の順序で実行することにより、各種の演算を実行する。
【００４０】
メモリ６３は、典型的には、ＤＲＡＭなどの揮発性の記憶装置である。制御部６５は、入力部６６および無線タグ書込部６７と、ＣＰＵ６２およびメモリ６３と、の間におけるデータ、命令および応答の転送制御を行う。
【００４１】
本実施の形態１における入力部６６は、具体的にはキーボード、ポインティングデバイス、タッチパネル、などの入力機器であり、無線タグ書込装置６１の使用者による操作を受け付ける。当該操作としては、たとえば、本実施の形態１における情報配信サーバから配信される情報の記述に用いられる言語の選択、および当該言語の無線タグ４１への書込みの開始指示などが挙げられる。
【００４２】
無線タグ書込部６７は、本実施の形態１では、入力部６６において選択された言語に関連付けられた言語ＩＤを、無線通信により無線タグ４１における言語ＩＤ格納部４３に書き込む。具体的には、無線タグ書込部６７は、入力部６６において選択された言語の無線タグ４１への書込みの開始指示操作を受け付けると、当該言語を検索キーとして言語データベース４５１を検索し、当該言語に関連付けられた言語ＩＤを抽出する。そして、無線タグ書込部６７は、無線タグ４１に電力を供給するために、図示しないアンテナから電波を送信する。この際、無線タグ４１は、データの書込みができる程度の電力を無線タグ書込部６７から受信できる領域に予め配置されている。そして、無線タグ書込部６７は、言語ＩＤ書込命令および言語ＩＤを無線通信により送信し、無線タグ４１における言語ＩＤ格納部４３に当該言語ＩＤを書き込む。
【００４３】
図６は、本発明の実施の形態１における無線タグ読取装置の構成を示すブロックである。本実施の形態１における無線タグ読取装置２０１は、ＣＰＵ２０２と、メモリ２０３と、制御部２０５と、無線タグ読取部２０６と、通信インターフェイス２０７と、を備える。本実施の形態１では、無線タグ読取装置２０１は、展示物毎に配置されている。また、各無線タグ読取装置２０１の構成は同一であるが、それぞれが、異なる読取装置ＩＰアドレスを保持する。
【００４４】
ＣＰＵ２０２は、図示しない、たとえばフラッシュメモリなどの不揮発性の半導体記憶装置などに予め格納された、実行プログラム２０４をメモリ２０３に展開し、これらを所定の順序で実行することにより、各種の演算を実行する。実行プログラム２０４は、無線タグ読取部２０６に対して、無線タグ４１に書込まれた無線タグＩＤおよび言語ＩＤを読取らせる。次に、実行プログラム２０４は、取得した無線タグＩＤおよび言語ＩＤを、自己の無線タグ読取装置２０１を識別する識別情報である読取装置ＩＰアドレスと共に情報配信サーバ４０１へ送信する。
【００４５】
メモリ２０３は、典型的には、ＤＲＡＭなどの揮発性の記憶装置である。制御部２０５は、無線タグ読取部２０６および通信インターフェイス２０７と、ＣＰＵ２０２およびメモリ２０３と、の間におけるデータ、命令および応答の転送制御を行う。
【００４６】
無線タグ読取部２０６は、たとえば図１に示すようにゲート型の部分を備え、当該ゲートの間を通過する無線タグ４１と無線通信を行い、無線タグＩＤおよび言語ＩＤを読取る。具体的には、無線タグ読取部２０６は、ゲート型の部分に配置された図示しない一対のアンテナを備え、アンテナ間に一定時間間隔で電波を送信する。この際、無線タグ読取部２０６は、ＩＤ送信命令を送信する。
【００４７】
無線タグ４１は、ゲートの間を通過する際に、無線タグ読取部２０６から送信された電波を受信し、受信した電波を電力に変換する。この際、無線タグ４１は、当該電力を用いることにより、無線タグ読取装置２０１から受信したＩＤ送信命令の応答として、無線タグＩＤおよび言語ＩＤを無線通信により送信する。無線タグ読取部２０６は、無線タグ４１から送信された無線タグＩＤおよび言語ＩＤを受信すると、制御部経由でＣＰＵ２０２またはメモリ２０３へ送信する。そして、ＣＰＵ２０２は、受信した無線タグＩＤおよび言語ＩＤを、通信インターフェイス２０７を経由して、情報配信サーバ４０１に送信する。
【００４８】
図７は、本発明の実施の形態１における情報配信サーバの構成を示すブロック図である。本実施の形態１における情報配信サーバ４０１は、具体的には、サーバコンピュータであり、ＣＰＵ４０２と、メモリ４０３と、制御部４０５と、記憶装置４０６と、通信インターフェイス４０７と、を備える。
【００４９】
ＣＰＵ４０２は、たとえばＨＤＤ（Hard Disk drive）などの不揮発性の記憶装置などに予め格納された、実行プログラム４０４をメモリ４０３に展開し、これらを所定の順序で実行することにより、各種の演算を実行する。実行プログラム４０４の実行により、ＣＰＵ４０２は、無線タグ読取装置２０１から無線タグＩＤ、言語ＩＤおよび読取装置ＩＰアドレスを受信すると、受信した言語ＩＤおよび読取装置ＩＰアドレスを検索キーとして配信情報データベース４５２から配信情報を特定する。
【００５０】
また、実行プログラム４０４の実行により、ＣＰＵ４０２は、受信した無線タグＩＤを検索キーとして端末情報データベース４５３から通信端末２１の端末ＩＰアドレスを特定する。そして、実行プログラム４０４の実行により、ＣＰＵ４０２は、端末ＩＰアドレスを送信先に指定して、特定した配信情報を送信する。この特定した配信情報の送信は、当該通信端末２１に対するプッシュ型情報配信によって行われても良い。
【００５１】
メモリ４０３は、典型的には、ＤＲＡＭなどの揮発性の記憶装置である。制御部４０５は、記憶装置４０６および通信インターフェイス４０７と、ＣＰＵ４０２およびメモリ４０３と、の間におけるデータ、命令および応答の転送制御を行う。
【００５２】
本実施の形態１における記憶装置４０６は、具体的には、ＨＤＤである。また、本実施の形態１において、配信情報データベース４５２および端末情報データベース４５３は、記憶装置４０６の記憶領域に構築されていても良い。通信インターフェイス４０７は、ネットワーク３０１経由で本実施の形態１における無線タグ書込装置６１、無線タグ読取装置２０１および通信端末２１との間で、ＩＰパケットの送受信を行う。
【００５３】
［システム動作］
次に、本発明の実施の形態１における情報配信システム１０の動作について、図８および図９を用いて説明する。また、本実施の形態１では、情報配信システム１０を動作させることによって、情報配信方法が実施される。よって、本実施の形態１における情報配信方法の説明は、以下の情報配信システム１０の動作説明に代える。
【００５４】
最初に、本実施の形態１における無線タグ書込装置６１の動作について図８を用いて説明する。図８は、本発明の実施の形態１における無線タグ書込装置での書込み時の動作を示すフローチャートである。以下の説明においては、適宜図１〜図３および図５を参酌する。
【００５５】
本実施の形態１では、通信端末２１の使用者は、まず、無線タグ書込装置６１において、無線タグ４１に情報を書込むことができる領域に、無線タグ４１を配置する。この際、無線タグ４１は、通信端末２１に付随する状態で配置しても構わない。
【００５６】
次に、図８に示すように通信端末２１の使用者が、情報配信サーバ４０１から配信される情報の記述に用いられる言語を、入力部６６を介して選択すると、言語の選択を受付ける（ステップＡ１）。
【００５７】
通信端末２１の使用者が、入力部６６において、当該言語の無線タグ４１への書込みの開始指示操作を行うと、無線タグ書込装置６１は、ステップＡ１において選択された言語を検索キーとして、言語データベース４５１を検索し、当該言語に関連付けられた言語ＩＤを抽出する（ステップＡ２）。
【００５８】
次に、無線タグ書込装置６１において無線タグ書込部６７が、ステップＡ２において抽出した言語ＩＤを、無線通信により無線タグ４１における言語ＩＤ格納部４３へ書込む（ステップＡ３）。以上により、無線タグ書込装置６１が、通信端末２１の使用者により選択された言語に関連付けられた言語ＩＤを、無線タグ４１に書込む動作が終了する。
【００５９】
本実施の形態１では、無線タグ書込装置６１における具体的な実行例として、通信端末２１の使用者が、たとえば、展示施設の入場時において、無線タグ書込装置６１における入力部６６を操作して、使用する言語として「英語」を選択したとする。次に、無線タグ書込装置６１は、使用者により選択された「英語」を検索キーとして、言語データベース４５１を検索し、「英語」に関連付けられた言語ＩＤである「２」を抽出する。そして、無線タグ書込装置６１は、抽出した言語ＩＤである「２」を、無線通信により無線タグ４１における言語ＩＤ格納部４３へ書込む。
【００６０】
次に、本実施の形態１における情報配信システム１０の動作について図９を用いて説明する。図９は、本発明の実施の形態１における情報配信システムでの情報配信時の動作を示すフローチャートである。以下の説明においては、適宜図１〜図４、図６および図７を参酌する。
【００６１】
図９に示すように、まず、ユーザが、無線タグ４１を通信端末２１と共に携行して、無線タグ読取装置２０１のゲート間を通過すると、無線タグ読取装置２０１は、無線タグ４１から無線通信により無線タグＩＤおよび言語ＩＤを読み取る（ステップＢ１）。
【００６２】
次に、無線タグ読取装置２０１は、読取った無線タグＩＤおよび言語ＩＤを、自己のＩＰアドレスである読取装置ＩＰアドレスと共に、情報配信サーバ４０１へ送信する（ステップＢ２）。
【００６３】
次に、情報配信サーバ４０１は、送信されてきた無線タグＩＤ、言語ＩＤおよび読取装置ＩＰアドレスを受信する（ステップＢ３）。次に、情報配信サーバ４０１は、送信されてきた言語ＩＤおよび読取装置ＩＰアドレスを検索キーとして、配信情報データベース４５２を検索する。そして、情報配信サーバ４０１は、言語ＩＤにより特定される言語で記述され、また、読取装置ＩＰアドレスにより特定される位置に応じた、配信情報を特定する（ステップＢ４）。
【００６４】
また、情報配信サーバ４０１は、送信されてきた無線タグＩＤを検索キーとして、端末情報データベース４５３を検索することにより、無線タグ２１が付随している通信端末２１の端末ＩＰアドレスを特定する（ステップＢ５）。なお、これらステップＢ４およびステップＢ５は、順番が入れ替わっても構わない。すなわち、ステップＢ５を実行した後、ステップＢ４を実行しても良い。
【００６５】
次に、情報配信サーバ４０１は、ステップＢ４において特定した配信情報を、ステップＢ５において特定した通信端末２１の端末ＩＰアドレスを送信先に指定して送信する（ステップＢ６）。この特定した配信情報の送信は、当該通信端末２１に対するプッシュ型情報配信によって行われても良い。
【００６６】
次に、ステップＢ６が実行されると、通信端末２１は、受信した配信情報を、表示部２６において表示、または音声出力部２７において再生する（ステップＢ７）。この際、通信端末２１が情報配信サーバ４０１からプッシュ型情報配信を受けると、受信した配信情報は、自動的に、通信端末２１における表示部２６において表示、または音声出力部２７において再生される。以上により、情報配信システム１０において、言語ＩＤにより特定された言語で記述され、無線タグ読取装置２０１の位置、すなわち無線タグ４１の位置、に応じた情報を配信する動作が終了する。
【００６７】
具体的には、無線タグ４１を付随する通信端末２１が、無線タグ読取装置２０１のゲートの間を通過すると、無線タグ読取装置２０１は、無線タグＩＤと言語ＩＤとを読み取る。この際、無線タグ読取装置２０１は、無線タグＩＤである「１３２１５４５３」と、言語ＩＤである「４」と、を読み取る。
【００６８】
無線タグ読取装置２０１は、読取った無線タグＩＤおよび言語ＩＤを、読取装置ＩＰアドレス「１９２．１６８．１．１１」と共に、情報配信サーバ４０１へ送信する。
【００６９】
上記の場合、情報配信サーバ４０１は、送信されてきた言語ＩＤである「４」と、読取装置ＩＰアドレスである「１９２．１６８．１．１１」と、を検索キーとして、配信情報データベース４５２を検索する。そして、情報配信サーバ４０１は、送信されてきた言語ＩＤおよび読取装置ＩＰアドレスに関連付けられた配信情報である、「ＩＮＦＯ２−４．ＭＰＧ」（図３（ｂ）参照）を特定する。
【００７０】
また、情報配信サーバ４０１は、送信されてきた無線タグＩＤである「１３２１５４５３」を検索キーとして、端末情報データベース４５３を検索することにより、無線タグ２１が付随している通信端末２１の端末ＩＰアドレスである「１９２．１６８．２．３」を特定する。
【００７１】
次に、情報配信サーバ４０１は、特定した配信情報である「ＩＮＦＯ２−４．ＭＰＧ」を、通信端末２１の端末ＩＰアドレスである「１９２．１６８．２．３」を送信先に指定して、無線ＬＡＮアクセスポイント５０１経由で送信する。
【００７２】
［実施の形態１における効果］
以上のように、本実施の形態１では、無線タグ読取装置２０１が通信端末２１に付随する無線タグ４１に書込まれた情報を読み取るので、通信端末２１を小型かつ低消費電力にすることができる。また、通信端末２１の使用者は、無線タグ４１を付随する通信端末２１を保持しながら、無線タグ読取装置２０１のゲートの間を通過するだけでよく、一々無線タグを探す必要がないので利便性が高くなる。また、通信端末２１の使用者が希望する言語は、無線タグ書込装置６１によって予め無線タグ４１に書込まれるので、通信端末２１において、使用する言語を選択する機能を実装する必要はない。また、本実施の形態１では、単一言語専用端末を用意する必要はない。
【００７３】
たとえば、展示施設を訪問した閲覧者が、入館時に貸し出される無線タグに希望の言語を設定する。そして、閲覧者は、当該無線タグを保持したまま展示施設内に配置された無線タグ読取装置のゲートの間を通過するだけで、希望の言語により記述され、閲覧者が位置する周辺の展示物に関する情報を取得することができる。また、使用される通信端末は、小型で、低消費電力にできるので、持ち運びによる閲覧者の疲労を低減でき、また、閲覧途中における電池切れの発生は抑制される。
【００７４】
（実施の形態２）
以下、本発明の実施の形態２における情報配信システムおよび情報配信方法について、図１０〜図１２を参照しながら説明する。
【００７５】
［システム構成］
最初に、図１０および図１１を用いて、本実施の形態２における情報配信システム１１の構成について説明する。図１０は、本発明の実施の形態２における情報配信システムの構成を示すブロック図である。
【００７６】
図１０に示すように、本実施の形態２における情報配信システム１１は、実施の形態１において図１に示した情報配信システム１０に加えて、グルーピングデータベース４５４と、管理者が使用する管理者用通信端末２０と、グルーピング用の無線タグ読取装置２０８とを備えている。以下、実施の形態１との相違点を中心に、本実施の形態２における情報配信システムのシステム構成について説明する。
【００７７】
図１１は、本発明の実施の形態２におけるデータベースの一例を示す図である。図１１に示すように、本実施の形態２では、グルーピングデータベース４５４は、無線タグＩＤとグループとを関連付けて格納している。また、グループとしては、たとえば、ツアーなどの団体が挙げられる。
【００７８】
次に、本実施の形態２において用いられる管理者用通信端末２０について説明する。管理者用通信端末２０は、通信端末２１と同様の構成を備えている。また、本実施の形態２において、管理者用通信端末２０および情報配信サーバ４０１は、以下のように動作する。
【００７９】
まず、管理者は、無線タグ読取装置２０８を用いて、グルーピングの対象となる無線タグ４１の無線タグＩＤを取得する。そして、管理者は、管理者用通信端末２０に、無線タグ毎に、その無線タグＩＤと、当該無線タグが所属するグループのグループ名とを入力する。管理者用通信端末２０は、入力された情報を、情報配信サーバ４０１に送信する。
【００８０】
また、管理者用通信端末２０は、管理者から、配信対象となるメッセージ等の情報と配信先となるグループ名とが入力されると、それを受け付ける。そして、管理者用通信端末２０は、管理者から、情報の配信が指示されると、受け付けた情報とグループ名とを情報配信サーバ４０１に送信する。
【００８１】
情報配信サーバ４０１は、管理者用通信端末２０から送信されてきた、無線タグＩＤと、グループ名とを、図１１に示すグルーピングデータベース４５４に登録する。また、情報配信サーバ４０１は、管理者用通信端末２０から、配信対象となる情報とグループ名とが送信されてくると、グループ名を検索キーとして、グルーピングデータベース４５１を検索し、当該グループに所属する無線タグＩＤを特定する。その後、情報配信サーバ４０１は、特定した無線タグＩＤに関連付けられた通信端末２１の端末ＩＰアドレスに、配信対象となるメッセージを配信する。
【００８２】
［システム動作］
次に、本実施の形態２における情報配信システム１１の動作について図１２を用いて説明する。図１２は、本発明の実施の形態２における情報配信システムでの特定のグループへの配信処理時の動作を示すフローチャートである。以下の説明においては、適宜図３、図１０および図１１を参酌する。
【００８３】
図１２に示すように、まず、特定のグループを管理する管理者は、特定のグループに所属する無線タグ４１に関連付けられた通信端末２１に対して、特定の情報であるメッセージの配信が必要であると認識する。この際、管理者は、管理者用通信端末２０において、配信対象である特定のグループ名と、配信するメッセージとを入力すると、管理者用通信端末２０は、これらの入力を受け付ける（ステップＤ１）。
【００８４】
次に、管理者用通信端末２０は、入力されたグループ名とメッセージとを、情報配信サーバ４０１に送信する（ステップＤ２）。
【００８５】
次に、情報配信サーバ４０１は、グループ名とメッセージとを受信すると、グループ名を検索キーとして、グルーピングデータベース４５４を検索し、当該グループに所属する各無線タグ４１の無線タグＩＤを特定する（ステップＤ３）。
【００８６】
次に、情報配信サーバ４０１は、特定した無線タグＩＤを検索キーとして、端末情報データベース４５３を検索することにより、特定した無線タグＩＤに関連付けられた通信端末２１の端末ＩＰアドレスを特定する（ステップＤ４）。
【００８７】
次に、情報配信サーバ４０１は、特定した端末ＩＰアドレスを送信先に指定して、メッセージを配信する（ステップＤ５）。以上により、特定のグループに対してメッセージを配信する動作が終了する。
【００８８】
具体的には、たとえば、ツアー団体Ａを管理するツアーガイドが、ツアー団体Ａに所属する閲覧者に対して、集合のメッセージを配信したいと認識する。ツアー団体Ａに所属する閲覧者は、無線タグＩＤが「１３２１５４５２」または「１３２１５４５３」である無線タグ４１を付随する通信端末２１を保持している。また、「１３２１５４５２」および「１３２１５４５３」である無線タグＩＤは、グループ２に関連付けられて、グルーピングデータベース４５４において予め保持されている（図１１参照）。
【００８９】
ツアーガイドは、管理者用通信端末２０において、「グループ２」をグループに指定し、「出口に集合」というメッセージを入力した後、メッセージ配信命令を入力する。管理者用通信端末２０は、「グループ２」というグループと「出口に集合」というメッセージとを、情報配信サーバ４０１へ送信する。
【００９０】
情報配信サーバ４０１は、管理者用通信端末２０から「グループ２」というグループと「出口に集合」というメッセージとを受信する。そして、情報配信サーバ４０１は、「グループ２」を検索キーとして、グルーピングデータベース４５４を検索し、「グループ２」に所属する無線タグ４１の無線タグＩＤである、「１３２１５４５２」および「１３２１５４５３」を特定する。
【００９１】
次に、情報配信サーバ４０１は、特定した無線タグＩＤである「１３２１５４５２」および「１３２１５４５３」を検索キーとして、端末情報データベース４５３を検索する。そして、情報配信サーバ４０１は、特定した無線タグＩＤに関連付けられた通信端末２１の端末ＩＰアドレスである、「１９２．１６８．２．２」および「１９２．１６８．２．３」を特定する。
【００９２】
次に、情報配信サーバ４０１は、特定した端末ＩＰアドレスである、「１９２．１６８．２．２」および「１９２．１６８．２．３」を送信先に指定して、「出口に集合」というメッセージの配信、すなわちアナウンスを行う。
【００９３】
［実施の形態２における効果］
以上のように、本実施の形態２では、ツアーなどの団体で展示施設を訪問した場合に、団体のメンバーが使用する各無線タグ４１をグルーピングして、団体の各メンバーが使用する通信端末２１に情報を一斉に送信することができる。このため、団体の管理者は、団体のメンバーに一斉に、共通のメッセージをアナウンスすることができる。
【００９４】
（実施の形態３）
以下、本発明の実施の形態３における情報配信システムおよび情報配信方法について、図１３〜図１７を参照しながら説明する。
【００９５】
［システム構成］
図１３は、本発明の実施の形態３における情報配信システムの構成を示すブロック図である。図１３に示すように、本実施の形態３における情報配信システム１２は、実施の形態１において図１に示した情報配信システム１０と異なり、性別データベース４５５と、年齢層データベース４５６とを更に備えている。また、性別データベース４５５と、年齢層データベース４５６とは、無線タグ書込装置６８に備えられている。
【００９６】
なお、これ以外の点については、本実施の形態３における情報配信システム１２は、図１に示した実施の形態１における情報配信システム１０と同様に構成されている。以下、実施の形態１との相違点を中心に、本実施の形態３における情報配信システムのシステム構成について説明する。
【００９７】
図１４は、本発明の実施の形態３における無線タグ５１の構成を示すブロック図である。図１４に示すように、本実施の形態３における無線タグ５１は、図２において示した無線タグ４１の構成に加え、性別ＩＤを格納する性別ＩＤ格納部５２と、年齢層ＩＤを格納する年齢層ＩＤ格納部５３と、を備えている。性別ＩＤ格納部５２および年齢層ＩＤ格納部５３は、無線タグに備えられた記憶領域に構築されている。
【００９８】
図１５は、本発明の実施の形態３におけるデータベースの一例を示す図である。図１５（ａ）は、性別データベース４５５を示し、図１５（ｂ）は、年齢層データベース４５６を示し、図１５（ｃ）は、配信情報データベース４５７を示す。図１５（ａ）に示すように、本実施の形態３における性別データベース４５５は、性別ＩＤと性別とを関連付けて格納している。また、図１５（ｂ）に示すように、年齢層データベース４５６は、年齢層ＩＤと年齢層とを関連付けて格納している。
【００９９】
本実施の形態３においては、配信情報データベース４５７は、デパートなどの商業施設におけるサービス情報を配信情報として格納している。また、図１５（ｃ）に示すように、本実施の形態３における配信情報データベース４５７は、サービス情報を、読取装置ＩＰアドレス、言語ＩＤ、性別ＩＤおよび年齢層ＩＤに関連付けて格納している。
【０１００】
具体的には、サービス情報としては、商品についての説明が挙げられる。また、当該説明は、言語ＩＤで設定された言語毎、性別毎、年齢層毎に用意される。
【０１０１】
後述するように、性別データベース４５５および年齢層データベース４５６は、無線タグ書込装置６８による書込みに用いられ、また、配信情報データベース４５７は、情報配信サーバ４０１による検索に用いられる。また、本実施の形態３における言語データベースおよび端末情報データベースは、図３に示した実施の形態１における言語データベース４５１および端末情報データベース４５３と同じ構成を持つので、説明を省略する。
【０１０２】
［システム動作］
次に、本発明の実施の形態３における情報配信システム１２の動作について図１６および図１７を用いて説明する。また、本実施の形態３では、情報配信システム１２を動作させることによって、情報配信方法が実施される。よって、本実施の形態３における情報配信方法の説明は、以下の情報配信システム１２の動作説明に代える。
【０１０３】
最初に、本実施の形態３における情報配信システム１２の無線タグ書込装置６８の動作について図１６を用いて説明する。図１６は、本発明の実施の形態３における無線タグ書込装置での書込み時の動作を示すフローチャートである。以下の説明においては、適宜図３、図５、および図１３から図１５を参酌する。
【０１０４】
本実施の形態３では、通信端末２１の使用者は、まず、無線タグ書込装置６８において無線タグ５１に情報を書込むことができる領域に、無線タグ５１を配置する。この際、無線タグ５１は、通信端末２１に付随する状態で配置しても構わない。
【０１０５】
次に、図１６に示すように通信端末２１の使用者が、情報配信サーバ４０１から配信される情報の記述に用いられる言語、自己の性別、および自己の年齢に適合した年齢層を、入力部６６を介して選択すると、言語、性別、及び年齢の選択を受付ける（ステップＥ１）。
【０１０６】
通信端末２１の使用者が、入力部６６において、言語、性別および年齢層の無線タグ５１への書込みの開始指示操作を行うと、無線タグ書込装置６８は、ステップＥ１において選択された言語を検索キーとして、言語データベース４５１を検索し、当該言語に関連付けられた言語ＩＤを抽出する（ステップＥ２）。
【０１０７】
また、無線タグ書込装置６８は、ステップＥ１において選択された性別を検索キーとして、性別データベース４５５を検索し、当該性別に関連付けられた性別ＩＤを抽出する（ステップＥ３）。
【０１０８】
また、無線タグ書込装置６８は、ステップＥ１において選択された年齢層を検索キーとして、年齢層データベース４５６を検索し、当該年齢層に関連付けられた年齢層ＩＤを抽出する（ステップＥ４）。なお、これらステップＥ２〜ステップＥ４は、順番が入れ替わっても構わない。
【０１０９】
次に、無線タグ書込装置６８は、ステップＥ２〜ステップＥ４において抽出した言語ＩＤ、性別ＩＤおよび年齢層ＩＤを、無線通信により無線タグ５１に書込む（ステップＥ５）。この際、無線タグ５１において、言語ＩＤは言語ＩＤ格納部４３に、性別ＩＤは性別ＩＤ格納部５２に、また、年齢層ＩＤは年齢層ＩＤ格納部５３に、格納される。以上により、無線タグ書込装置６８が、通信端末２１の使用者により選択された言語ＩＤ、性別ＩＤおよび年齢層ＩＤを、無線タグ５１に書込む動作が終了する。
【０１１０】
本実施の形態３では、無線タグ書込装置６８は、具体的には、デパートのインフォメーションカウンターに設置される。そして、例えば、使用者が、無線タグ書込装置６８を操作して、無線タグに、使用する言語として「英語」、性別として「男性」、また、年齢層として「１０代」、を入力したとする。
【０１１１】
次に、無線タグ書込装置６８は、使用者により選択された「英語」を検索キーとして、言語データベース４５１を検索し、「英語」に関連付けられた言語ＩＤである「２」を抽出する。
【０１１２】
また、無線タグ書込装置６８は、使用者により選択された「男性」を検索キーとして、性別データベース４５５を検索し、「男性」に関連付けられた性別ＩＤである「１」を抽出する。
【０１１３】
また、無線タグ書込装置６８は、使用者により選択された「１０代」を検索キーとして、年齢層データベース４５６を検索し、「１０代」に関連付けられた年齢層ＩＤである「２」を抽出する。
【０１１４】
次に、無線タグ書込装置６８は、抽出した言語ＩＤである「２」、性別ＩＤである「１」および年齢層ＩＤである「２」を、無線通信により言語ＩＤ格納部４３、性別ＩＤ格納部５２および年齢層ＩＤ格納部５３へそれぞれ書込む。
【０１１５】
次に、本実施の形態３における情報配信システム１２の動作について図１７を用いて説明する。図１７は、本発明の実施の形態３における情報配信システムでの情報配信時の動作を示すフローチャートである。以下の説明においては、適宜図１、図３〜図４、図６〜図７、および図１４〜図１５を参酌する。
【０１１６】
図１７に示すように、まず、ユーザが、無線タグ５１を通信端末２１と共に携行して、無線タグ読取装置２０１のゲート間を通過すると、無線タグ読取装置２０１は、無線タグ５１から無線通信により無線タグＩＤ、言語ＩＤ、性別ＩＤおよび年齢層ＩＤを読み取る（ステップＦ１）。
【０１１７】
次に、無線タグ読取装置２０１は、読取った無線タグＩＤ、言語ＩＤ、性別ＩＤ、および年齢層ＩＤを、自己のＩＰアドレスである読取装置ＩＰアドレスと共に、情報配信サーバ４０１へ送信する（ステップＦ２）。
【０１１８】
次に、情報配信サーバ４０１は、送信されてきた無線タグＩＤ、言語ＩＤ、性別ＩＤ、年齢層ＩＤ、および読取装置ＩＰアドレスを受信する（ステップＦ３）。次に、情報配信サーバ４０１は、送信されてきた言語ＩＤ、性別ＩＤ、年齢層ＩＤおよび読取装置ＩＰアドレスを検索キーとして、配信情報データベース４５７を検索する。そして、情報配信サーバ４０１は、言語ＩＤにより特定される言語で記述され、性別ＩＤにより特定される性別に合致し、年齢層ＩＤにより特定される年齢層に応じ、また、読取装置ＩＰアドレスにより特定される位置に応じた、配信情報を特定する（ステップＦ４）。
【０１１９】
また、情報配信サーバ４０１は、送信されてきた無線タグＩＤを検索キーとして、端末情報データベース４５３を検索することにより、無線タグ５１が付随している通信端末２１の端末ＩＰアドレスを特定する（ステップＦ５）。なお、これらステップＦ４およびステップＦ５は、順番が入れ替わっても構わない。すなわち、ステップＦ５を実行した後、ステップＦ４を実行しても良い。
【０１２０】
次に、情報配信サーバ４０１は、ステップＦ４において特定した配信情報を、ステップＦ５において特定した通信端末２１の端末ＩＰアドレスを送信先に指定して送信する（ステップＦ６）。この特定した配信情報の送信は、当該通信端末２１に対するプッシュ型情報配信によって行われても良い。
【０１２１】
次に、ステップＦ６が実行されると、通信端末２１は、受信した配信情報を、表示部２６において表示、または音声出力部２７において再生する（ステップＦ７）。この際、通信端末２１が情報配信サーバ４０１からプッシュ型情報配信を受けると、受信した配信情報は、自動的に、通信端末２１における表示部２６において表示、または音声出力部２７において再生される。以上により、情報配信システム１２において、言語ＩＤにより特定された言語で記述され、性別ＩＤにより特定される性別に合致し、年齢層ＩＤにより特定される年齢層に応じ、また、無線タグ読取装置２０１の位置、すなわち無線タグ５１の位置に応じた情報を配信する動作が終了する。
【０１２２】
具体的には、無線タグ５１を付随する通信端末２１が、たとえば、デパートのエスカレータまたはエレベータの乗降口に設置された無線タグ読取装置２０１のゲートの間を通過する。この際、無線タグ読取装置２０１は、当該無線タグ４０の無線タグＩＤである「１３２１５４５３」、言語ＩＤである「４」、性別ＩＤである「２」、および年齢層ＩＤである「１」、を読み取る。
【０１２３】
無線タグ読取装置２０１は、読取った無線タグＩＤ、言語ＩＤ、性別ＩＤおよび年齢層ＩＤを、読取装置ＩＰアドレス「１９２．１６８．１．１０」と共に、情報配信サーバ４０１へ送信する。
【０１２４】
上記の場合、情報配信サーバ４０１は、送信されてきた言語ＩＤである「４」、性別ＩＤである「２」、年齢層ＩＤである「１」、および読取装置ＩＰアドレスである「１９２．１６８．１．１０」、を検索キーとして、配信情報データベース４５７を検索する。そして、情報配信サーバ４０１は、送信されてきた言語ＩＤ、性別ＩＤ、年齢層ＩＤおよび読取装置ＩＰアドレスに関連付けられた配信情報である、「ｉｎｆｏ２１４−１０」（図１５（ｃ）参照）を特定する。
【０１２５】
また、情報配信サーバ４０１は、送信されてきた無線タグＩＤである「１３２１５４５３」を検索キーとして、端末情報データベース４５３を検索することにより、無線タグ５１が付随している通信端末２１の端末ＩＰアドレスである「１９２．１６８．２．３」を特定する。
【０１２６】
次に、情報配信サーバ４０１は、特定した配信情報である「ｉｎｆｏ２１４−１０」を、通信端末２１の端末ＩＰアドレスである「１９２．１６８．２．３」を送信先に指定して、無線ＬＡＮアクセスポイント５０１経由で送信する。
【０１２７】
［実施の形態３における効果］
以上のように、本実施の形態３では、無線タグ５１が付随する通信端末２１の使用者は、無線タグ読取装置２０１のゲートの間を通過すると、予め設定した言語、性別および年齢層と、使用者の現在位置と、に応じたサービス情報の配信を受けることができる。
【０１２８】
たとえば、デパートを訪問した買い物客が、インフォメーションカウンターにおいて、入店時に貸し出される無線タグに、希望の言語、自己の性別および自己の年齢層を設定する。そして、買い物客が、当該無線タグを保持したままデパート内のエスカレータまたはエレベータの乗降口に配置された、無線タグ読取装置のゲートの間を通過する。この際、買い物客は、ゲートの間を通過するだけで、希望の言語により記述され、性別に合致し、年齢層に応じ、また、買い物客が位置する周辺の商品に関するサービス情報の配信を受けることができる。
【産業上の利用可能性】
【０１２９】
以上のように、本発明によれば、通信端末を保持する使用者が使用する言語および使用者の現在位置に応じた情報を提供することができる。よって、本発明は、エレクトロニクス、または自動車などの国際ショーにおける情報配信に対して有用となる。
【符号の説明】
【０１３０】
１０  情報配信システム
１１  情報配信システム
１２  情報配信システム
２０  管理者用通信端末
２１  通信端末
６１  無線タグ書込装置
６８  無線タグ書込装置
２０１  無線タグ読取装置
２０８  無線タグ読取装置
３０１  ネットワーク
４０１  情報配信サーバ
４５１  言語データベース
４５２  配信情報データベース
４５３  端末情報データベース
４５４  グルーピングデータベース
４５５  性別データベース
４５６  年齢層データベース
４５７  配信情報データベース
５０１  無線ＬＡＮアクセスポイント
【図１】
2013073264.tif 000003
【図２】
2013073264.tif 000004
【図３】
2013073264.tif 000005
【図４】
2013073264.tif 000006
【図５】
2013073264.tif 000007
【図６】
2013073264.tif 000008
【図７】
2013073264.tif 000009
【図８】
2013073264.tif 000010
【図９】
2013073264.tif 000011
【図１０】
2013073264.tif 000012
【図１１】
2013073264.tif 000013
【図１２】
2013073264.tif 000014
【図１３】
2013073264.tif 000015
【図１４】
2013073264.tif 000016
【図１５】
2013073264.tif 000017
【図１６】
2013073264.tif 000018
【図１７】
2013073264.tif 000019